(57)【特許請求の範囲】
【請求項１】
被写体を撮影する撮影部と、
前記撮影部からの撮影信号に基づいてスルー画を表示する表示部と、
自己位置を測定する自己位置測定部と、
前記撮影部における撮影方位を計測する方位計測部と、
通信可否を示す画像の画像データを記憶する記憶部と、
前記自己位置の情報及び前記撮影方位の情報をサーバに対して送信する送信部と、
前記自己位置を基準とする前記撮影方位の方向に位置する通信端末ごとの位置情報及び通信可否情報を前記サーバから受信する受信部と、
前記スルー画上における各々の前記通信端末の前記位置情報に対応する位置に前記通信可否情報に基づいて前記通信可否を示す画像を重畳表示させる表示制御部と
を備えることを特徴とするデジタルカメラ。
【請求項２】
前記通信可否情報は、前記通信端末が受信可能状態か否を示す受信可否情報を含み、
前記通信可否を示す画像は、前記通信端末が受信可能状態にあることを示す画像及び受信可能状態にないことを示す画像を含み、
前記表示制御部は、受信可能状態にある前記通信端末の前記位置情報に対応する位置に前記受信可能状態にあることを示す画像を表示させ、受信可能状態にない前記通信端末の前記位置情報に対応する位置に前記受信可能状態にないことを示す画像を表示させることを特徴とする請求項１記載のデジタルカメラ。
【請求項３】
前記通信端末に対して送信する送信データを記憶する送信データ記憶部を備え、
前記送信部は、受信可能状態にある前記通信端末に対して前記サーバを介して前記送信データを送信することを特徴とする請求項２記載のデジタルカメラ。
【請求項４】
前記通信可否情報は、前記通信端末が送信可能な端末データを有するか否を示す保有情報を含み、
前記通信可否を示す画像は、前記通信端末が前記端末データを有することを示す画像及び前記通信端末が前記端末データを有さないことを示す画像を含み、
前記表示制御部は、前記端末データを有する前記通信端末の前記位置情報に対応する位置に前記端末データを有することを示す画像を表示させ、前記端末データを有しない前記通信端末の前記位置情報に対応する位置に前記端末データを有さないことを示す画像を表示させることを特徴とする請求項１記載のデジタルカメラ。
【請求項５】
前記受信部は、前記端末データを有する前記通信端末から前記サーバを介して前記端末データを受信することを特徴とする請求項４記載のデジタルカメラ。
【請求項６】
前記端末データの受信可否を判定する判定部を備え、
前記送信部は、前記サーバに対して受信要求情報を送信し、
前記受信部は、前記通信端末から前記端末データの受信可否を判定するための受信判定情報を受信し、
前記判定部は、前記受信判定情報に基づいて前記端末データの受信可否を判定し、
前記受信部は、前記サーバを介して受信可能と判定した前記端末データを受信することを特徴とする請求項４記載のデジタルカメラ。
【請求項７】
前記判定部は、前記受信判定情報に含まれるカテゴリ情報に基づいて前記端末データの受信可否を判定することを特徴とする請求項６に記載のデジタルカメラ。
【請求項８】
前記判定部は、前記受信判定情報に含まれる容量情報に基づいて前記端末データの受信可否を判定することを特徴とする請求項６に記載のデジタルカメラ。
【請求項９】
前記判定部は、前記受信判定情報に含まれる年齢情報に基づいて前記端末データの受信可否を判定することを特徴とする請求項６に記載のデジタルカメラ。
【請求項１０】
前記判定部は、前記受信判定情報に含まれる有効期限情報に基づいて前記端末データの受信可否を判定することを特徴とする請求項６に記載のデジタルカメラ。
【発明の詳細な説明】
【技術分野】
【０００１】
本発明は、電子機器に関するものである。
【背景技術】
【０００２】
従来、メール機能を有する携帯電話機が知られている（例えば、特許文献１参照）。この携帯電話機によれば、アドレスが登録されている他のメール機能を有する通信端末とメール通信を行うことができる。
【先行技術文献】
【特許文献】
【０００３】
【特許文献１】特開２００９−２９０２９２号公報
【発明の概要】
【発明が解決しようとする課題】
【０００４】
ところで、以前より消費者の間では、携帯電話機等の電子機器においてスルー画撮影を行ったときに、スルー画像内に表示されている範囲に存在する通信端末との間で通信を行いたいという要望があった。
【０００５】
本発明の目的は、スルー画像内に表示されている範囲に存在する通信端末との間で通信を行うことができる電子機器を提供することである。
【課題を解決するための手段】
【０００６】
本発明の電子機器は、被写体を撮影する撮影部と、前記撮影部からの撮影信号に基づいてスルー画を表示する表示部と、自己位置を測定する自己位置測定部と、前記撮影部における撮影方位を計測する方位計測部と、通信可否を示す画像の画像データを記憶する記憶部と、前記自己位置の情報及び前記撮影方位の情報をサーバに対して送信する送信部と、前記自己位置を基準とする前記撮影方位の方向に位置する通信端末ごとの位置情報及び通信可否情報を前記サーバから受信する受信部と、前記スルー画上における各々の前記通信端末の前記位置情報に対応する位置に前記通信可否情報に基づいて前記通信可否を示す画像を重畳表示させる表示制御部とを備えることを特徴とする。
【発明の効果】
【０００７】
本発明の電子機器によれば、スルー画像内に表示されている範囲に存在する通信端末との間で通信を行うことができる。
【図面の簡単な説明】
【０００８】
【図１】実施の形態に係るデジタルカメラの構成を示すブロック図である。
【図２】実施の形態に係るデジタルカメラの送信モードの処理を示すフローチャートである。
【図３】実施の形態に係るデジタルカメラの送信モードの処理における表示状態を示す図である。
【図４】実施の形態に係るデジタルカメラの受信モードの処理を示すフローチャートである。
【図５】実施の形態に係るデジタルカメラの受信モードの処理における表示状態を示す図である。
【発明を実施するための形態】
【０００９】
以下、図面を参照して本発明の実施の形態に係るデジタルカメラについて説明する。図１は、実施の形態に係るデジタルカメラ２の構成を示すブロック図である。デジタルカメラ２は、ＣＰＵ８を備え、ＣＰＵ８には、ＧＰＳ衛星から受信した信号に基づいて自己位置を測定するＧＰＳ１０、自己位置を基準としたデジタルカメラ２の撮影方位を計測する方位センサ１４及び操作部２４が接続されている。ここで、操作部２４には、電源スイッチ、レリーズボタン、スルー画像をＬＣＤ表示部２６に表示するライブビューモードを設定するライブビューボタン、他の通報端末に現在の位置情報や画像データ等を送信する送信モードを設定する送信モードボタン、他の通報端末から位置情報等を受信する受信モードを設定する受信モードボタン、ＬＣＤ表示部２６にサムネイル画像の一覧を表示する画像一覧表示ボタン、サムネイル画像の一覧から画像の選択等を行うマルチセレクタ、マルチセレクタで選択した画像の決定等を行うＯＫボタン、ｗｅｂサーバに受信要求を行う受信要求ボタン等が含まれている。
【００１０】
また、ＣＰＵ８には、スルー画像等を表示するＬＣＤ表示部２６の表示制御を行う表示制御部２７、被写体を撮影するための撮像素子３２、撮像素子３２から出力された撮像信号から生成された画像データやｗｅｂサーバから受信した他の通信端末の位置情報等を一時的に記憶するメモリ３４、メモリ３４に記憶されている画像データにホワイトバランス調整等の画像処理を行う画像処理部３６、現在の位置情報や現在の方位情報等を記憶する情報記憶部３８、通信アドレス等の個人情報を予め記憶する個人情報記憶部４０、スルー画上に重畳表示する画像の画像データを記憶する画像記憶部４２、画像データを記憶するメモリカード４４、ＬＣＤ表示部２６の表示制御等を行うためのプログラムを格納するプログラムメモリ４６、インターネットを介してｗｅｂサーバとの間で画像データ等の送受信を行う無線通信部４８が接続されている。
【００１１】
次に、図２に示すフローチャートを参照して実施の形態に係るデジタルカメラ２における送信モードの処理について説明する。まず、ライブビューボタンが操作されると、ＣＰＵ８は、撮像素子３２により撮像を開始し、ＬＣＤ表示部２６にスルー画像を表示する（ステップＳ１）。
【００１２】
次に、ＣＰＵ８は、ＧＰＳ１０から現在の位置情報を取得し（ステップＳ２）、方位センサ１４から現在の方位情報を取得する（ステップＳ３）。そして、取得した現在の位置情報及び現在の方位情報を情報記憶部３８に記憶する。
【００１３】
次に、操作者により送信モードボタンが操作され送信モードに設定されると、ＣＰＵ８は、情報記憶部３８から現在の位置情報及び現在の方位情報を読み出し、無線通信部４８を介してｗｅｂサーバに送信する（ステップＳ４）。
【００１４】
ここで、ｗｅｂサーバ内には、ｗｅｂサーバと通信可能な通信端末の位置情報、通信アドレス、他の通信端末からのデータを受信可能な状態にあるか否かを示す受信可否情報（例えば、その通信端末が受信拒否設定をしているか否かを示す情報等。）が通信端末ごとに記憶されている。ｗｅｂサーバは、デジタルカメラ２から現在の位置情報及び現在の方位情報を受信すると、現在の位置情報を基準として現在の撮影方位の方向に位置する通信端末を検出し、検出した通信端末の位置情報、通信アドレス、受信可否情報をデジタルカメラ２に対して送信する。
【００１５】
次に、ＣＰＵ８は、無線通信部４８を介して通信端末の位置情報、通信アドレス、受信可否情報を受信しメモリ３４に記憶する（ステップＳ５）。
【００１６】
次に、ＣＰＵ８は、メモリ３４から受信可能状態にある通信端末の位置情報を、画像記憶部４２から受信可能状態にあることを示す画像の画像データを読み出し、スルー画上において通信端末の位置情報に対応する位置に受信可能状態にあることを示す画像を重畳表示する（ステップＳ６）。例えば、人物１及び人物３が有する通信端末が受信可能状態にある場合には、図３に示すように、人物１の位置及び人物３の位置に受信可能状態にあることを示す画像を重畳表示する。同様に、メモリ３４から受信可能状態にない通信端末の位置情報を、画像記憶部４２から受信可能状態にないことを示す画像の画像データを読み出し、スルー画上において通信端末の位置情報に対応する位置に受信可能状態にないことを示す画像を重畳表示する（ステップＳ６）。例えば、人物２が有する通信端末が受信可能状態にない場合には、図３に示すように、人物２の位置に受信可能状態にないことを示す画像を重畳表示する。ここで、スルー画に表示されている範囲に受信可能状態にある通信端末が存在しない場合（ステップＳ７：Ｎｏ）、ＣＰＵ８は、一連の処理を終了する。
【００１７】
一方、スルー画に表示されている範囲に受信可能状態にある通信端末が存在する場合（ステップＳ７：Ｙｅｓ）、ＣＰＵ８は、画像一覧表示ボタンが押下されたか否かの判定を行う（ステップＳ８）。画像一覧表示ボタンが押下された場合（ステップＳ８：Ｙｅｓ）、ＣＰＵ８は、メモリカード４４に記憶された画像データに付加されているサムネイル画像データを読み出し、サムネイル画像の一覧をＬＣＤ表示部２６に表示する。
【００１８】
そして、操作者によりマルチセレクタ及びＯＫボタンの操作が行われ、サムネイル画像一覧の中から所望の画像が選択されると、ＣＰＵ８は、選択されたサムネイル画像に対応する画像の画像データをメモリカード４４から読み出しメモリ３４に記憶する。
【００１９】
次に、ＣＰＵ８は、スルー画に表示された範囲に存在する受信可能状態にある通信端末の中に既知の通信端末があるか否かの判定を行う（ステップＳ９）。即ち、ＣＰＵ８は、受信可能状態にある通信端末の通信アドレスと個人情報記憶部４０に予め記憶されている通信アドレスとを照合し、通信アドレスが一致した通信端末を既知の通信端末として認識する。既知の通信端末がない場合は（ステップＳ９：Ｎｏ）、ステップＳ１３に進む。
【００２０】
一方、既知の通信端末がある場合（ステップＳ９：Ｙｅｓ）、ＣＰＵ８は、ＬＣＤ表示部２６に「選択した画像データをアドレスが登録されている通信端末に送信してもいいですか？」等の表示を行った後、「はい／いいえ」の選択画面を表示する（ステップＳ１０）。「いいえ」が選択された場合（ステップＳ１０：Ｎｏ）、ステップＳ１３に進む。
【００２１】
「はい」が選択された場合（ステップＳ１０：Ｙｅｓ）、選択されたサムネイル画像に対応する画像の画像データをメモリ３４から読み出し、既知の通信端末として認識した通信端末の通信アドレスと共に、無線通信部４８を介してｗｅｂサーバに送信する（ステップＳ１１）。通信アドレスと共にｗｅｂサーバに送信された画像データは、ｗｅｂサーバにより通信アドレスに対応する通信端末に送信される。ここで、受信可能状態にある通信端末が既知端末のみである場合には一連の処理を終了する（ステップＳ１２：Ｙｅｓ）。
【００２２】
一方、受信可能状態にある通信端末が既知端末のみでない場合（ステップＳ１２：Ｎｏ）、ＣＰＵ８は、既知の通信端末を除く通信端末の中から受信可能状態にある通信端末が選択されたか否かの判定を行う（ステップＳ１３）。通信端末が選択された場合（ステップＳ１３：Ｙｅｓ）、例えば、操作者によりマルチセレクタ及びＯＫボタンの操作が行われ、スルー画上において受信可能状態にあることを示す画像が選択された場合、ＣＰＵ８は、ステップＳ８において選択された画像データ及び選択された受信可能状態にあることを示す画像に対応する通信端末の通信アドレスをメモリ３４から読み出し、無線通信部４８を介してｗｅｂサーバに送信する（ステップＳ１４）。通信アドレスと共にｗｅｂサーバに送信された画像データは、ｗｅｂサーバにより通信アドレスに対応する通信端末に送信される。一方、通信端末が選択されなかった場合、ＣＰＵ８は、一連の処理を終了する（ステップＳ１３：Ｎｏ）。
【００２３】
次に、図４に示すフローチャートを参照して実施の形態に係るデジタルカメラ２における受信モードの処理について説明する。まず、ライブビューボタンが操作されると、ＣＰＵ８は、撮像素子３２により撮像を開始し、ＬＣＤ表示部２６にスルー画像を表示する（ステップＳ２１）。
【００２４】
次に、ＣＰＵ８は、ＧＰＳ１０から現在の位置情報を取得し（ステップＳ２２）、方位センサ１４から現在の方位情報を取得する（ステップＳ２３）。そして、取得した現在の位置情報及び現在の方位情報を情報記憶部３８に記憶する。
【００２５】
次に、操作者により受信モードボタンが操作され受信モードに設定されると、ＣＰＵ８は、情報記憶部３８から現在の位置情報及び現在の方位情報を読み出し、無線通信部４８を介してｗｅｂサーバに送信する（ステップＳ２４）。
【００２６】
ここで、ｗｅｂサーバ内には、ｗｅｂサーバと通信可能な通信端末の位置情報、通信アドレス、通信端末が送信可能なインフォメーションデータを有するか否を示す保有情報及び送信可能なインフォメーションデータを有する場合にはそのインフォメーションデータが通信端末ごとに記憶されている。ｗｅｂサーバは、デジタルカメラ２から現在の位置情報及び現在の方位情報を受信すると、現在の位置情報を基準として現在の撮影方位の方向に位置する通信端末を検出し、検出した通信端末の位置情報、通信アドレス、保有情報をデジタルカメラ２に対して送信する。
【００２７】
次に、ＣＰＵ８は、無線通信部４８を介して通信端末の位置情報、通信アドレス、保有情報を受信しメモリ３４に記憶する（ステップＳ２５）。
【００２８】
次に、ＣＰＵ８は、メモリ３４からインフォメーションデータを有する通信端末の位置情報を、画像記憶部４２からインフォメーションデータを有することを示す画像の画像データを読み出し、スルー画上において通信端末の位置情報に対応する位置にインフォメーションデータを有することを示す画像を重畳表示する（ステップＳ２６）。例えば、施設１及び人物４が有する通信端末が送信可能なインフォメーションデータを有する場合には、図５に示すように、施設１及び人物４の位置にインフォメーションデータを有することを示す画像を重畳表示する。同様に、メモリ３４からインフォメーションデータを有さない通信端末の位置情報を、画像記憶部４２からインフォメーションデータを有さないことを示す画像の画像データを読み出し、スルー画上において通信端末の位置情報に対応する位置にインフォメーションデータを有さないことを示す画像を重畳表示する（ステップＳ２６）。なお、図５に示すスルー画の範囲には、インフォメーションデータを有さない通信端末が存在しないため、インフォメーションデータを有さないことを示す画像は表示されていない。ここで、スルー画に表示されている範囲にインフォメーションデータを有する通信端末が存在しない場合（ステップＳ２７：Ｎｏ）、ＣＰＵ８は、一連の処理を終了する。
【００２９】
一方、スルー画に表示されている範囲にインフォメーションデータを有する通信端末が存在する場合（ステップＳ２７：Ｙｅｓ）、ＣＰＵ８は、スルー画に表示された範囲に存在する通信端末の中に既知の通信端末があるか否かの判定を行う（ステップＳ２８）。即ち、ＣＰＵ８は、スルー画に表示された範囲に存在する通信端末の通信アドレスと個人情報記憶部４０に予め記憶されている通信アドレスとを照合し、通信アドレスが一致する通信端末を既知の通信端末として認識する。既知の通信端末がない場合は（ステップＳ２８：Ｎｏ）、ステップＳ３２に進む。
【００３０】
一方、既知の通信端末がある場合（ステップＳ２８：Ｙｅｓ）、ＣＰＵ８は、ＬＣＤ表示部２６に「アドレスが登録されている通信端末からデータを受信してもいいですか？」等の表示を行った後、「はい／いいえ」の選択画面を表示する（ステップＳ２９）。「いいえ」が選択された場合（ステップＳ２９：Ｎｏ）、ステップＳ３２に進む。
【００３１】
「はい」が選択された場合（ステップＳ２９：Ｙｅｓ）、既知の通信端末として認識した通信端末の通信アドレスを、無線通信部４８を介してｗｅｂサーバに送信する。ｗｅｂサーバは、デジタルカメラ２から通信アドレスを受信すると、通信アドレスに対応する通信端末のインフォメーションデータをデジタルカメラ２に対して送信する。
【００３２】
次に、ＣＰＵ８は、無線通信部４８を介して通信端末のインフォメーションデータを受信しメモリ３４に記憶する（ステップＳ３０）。なお、メモリ３４に記憶されたインフォメーションデータは、その後メモリカード４４に記憶される。ここで、スルー画に表示された範囲に存在する通信端末が既知端末のみである場合には一連の処理を終了する（ステップＳ３１：Ｙｅｓ）。
【００３３】
一方、スルー画に表示された範囲に存在する通信端末が既知端末のみでない場合（ステップＳ３１：Ｎｏ）、ＣＰＵ８は、既知の通信端末を除く通信端末が選択されたか否かの判定を行う（ステップＳ３２）。通信端末が選択された場合（ステップＳ３２：Ｙｅｓ）、例えば、操作者によりマルチセレクタ及びＯＫボタンの操作が行われ、スルー画上において既知端末でない通信端末のインフォメーションデータを有することを示す画像が選択された場合、ＣＰＵ８は、選択された画像に対応する通信端末の通信アドレスをメモリ３４から読み出し、無線通信部４８を介してｗｅｂサーバに送信する。ｗｅｂサーバは、デジタルカメラ２から通信アドレスを受信すると、通信アドレスに対応する通信端末のインフォメーションデータをデジタルカメラ２に対して送信する。
【００３４】
次に、ＣＰＵ８は、無線通信部４８を介してインフォメーションデータを受信しメモリ３４に記憶する（ステップＳ３３）。なお、メモリ３４に記憶されたインフォメーションデータは、その後メモリカード４４に記憶される。一方、通信端末が選択されなかった場合（ステップＳ３２：Ｎｏ）、ＣＰＵ８は、一連の処理を終了する。
【００３５】
この実施の形態に係るデジタルカメラ２によれば、ｗｅｂサーバから現在の位置情報を基準として現在の撮影方位の方向に位置する通信端末の通信アドレス、受信可否情報等を受信することにより、スルー画像内に表示されている範囲に存在する通信端末との間で通信を行うことができる。また、スルー画上における通信端末の位置情報の位置に、通信端末が受信可能状態にあるか否かを示す画像、または通信端末が送信可能なインフォメーションデータを有するか否かを示す画像を重畳表示させることにより、操作者は他の通信端末との通信可否を容易に認識することができる。また、既知の通信端末が存在する場合には、通信端末を選択する等の操作を行うことなく速やかにデータの送受信を行うことができる。
【００３６】
なお、上述の実施の形態においては、送信モードと受信モードを区別して処理を行っているが、送信モードと受信モードの処理を一括して行ってもよい。これにより、通信端末が受信可能状態にあるか否かを示す画像、及び通信端末が送信可能なインフォメーションデータを有するか否かを示す画像を同一の画面上に同時に表示することができる。
【００３７】
また、上述の実施の形態の受信モードにおいて、インフォメーションデータを受信する前に受信可否を判定し、受信可能と判定したインフォメーションデータのみを受信するようにしてもよい。例えば、スルー画上においてインフォメーションデータを有することを示す画像が表示されている状態において、操作者により受信要求ボタンが押下されると、ＣＰＵ８は、受信要求情報を生成し、ｗｅｂサーバに対してインフォメーションデータの受信可否を判定するための受信判定情報の受信要求を行う。次に、ＣＰＵ８は、無線通信部４８を介して受信した受信判定情報に基づいてインフォメーションデータの受信可否についての判定を行う。そして、受信可能なインフォメーションデータを有する通信端末が存在する場合、ＣＰＵ８は、それらの通信端末からインフォメーションデータを受信し、受信可能なインフォメーションデータを有する通信端末が存在しない場合、一連の処理を終了する。
【００３８】
なお、受信判定情報は、店舗やオフィス等のカテゴリを示すカテゴリ情報であってもよい。即ち、受信要求により施設１及び人物４（図５参照）の通信端末が有するインフォメーションデータのカテゴリ情報を受信した状態において、操作者により、例えば、レストランというカテゴリが選択されたとする。ＣＰＵ８は、受信したカテゴリ情報と選択されたレストランというカテゴリとを照合し、受信したカテゴリ情報にレストランに係る情報が含まれるか否かの判定を行う。
【００３９】
ここで、施設１についてのカテゴリ情報がレストランに係る情報を含み、人物４についてのカテゴリ情報がレストランに係る情報を含まなかった場合、ＣＰＵ８は、施設１の通信端末が有するインフォメーションデータを受信可能と判定し、人物４の通信端末が有するインフォメーションデータを受信不可能と判定する。
【００４０】
また、受信判定情報は、何歳以上の通信端末保有者にインフォメーションデータを送信できるかを示す年齢情報であってもよい。即ち、受信要求により施設１（図５参照）の通信端末が有するインフォメーションデータの年齢情報を受信した状態において、操作者により操作者の年齢が指定されたとする。ＣＰＵ８は、受信した年齢情報と指定された年齢とを照合し、受信した年齢情報を有する通信端末のインフォメーションデータが受信可能であるか否かを判定する。例えば、受信した施設１についての年齢情報は、１８歳以上の通信端末保有者に送信可能であることを示していたとする。一方、操作者は自己の年齢を１９歳と指定したとする。この場合、ＣＰＵ８は、施設１の通信端末が有するインフォメーションデータを受信可能と判定する。
【００４１】
また、受信判定情報は、インフォメーションデータの有効期限を示す有効期限情報であってもよい。即ち、受信要求により施設１（図５参照）の通信端末が有するインフォメーションデータの有効期限情報を受信した場合において、ＣＰＵ８は、受信した有効期限情報と受信日時とを照合し、受信した有効期限情報を有する通信端末のインフォメーションデータが受信可能であるか否かを判定する。例えば、受信した施設１についての有効期限情報が２０１０年７月３１日だったとする。ここで、受信要求により施設１の通信端末が有するインフォメーションデータの有効期限情報を受信した日時が２０１０年８月１０日であった場合、ＣＰＵ８は、施設１の通信端末が有するインフォメーションデータを受信不可能と判定する。
【００４２】
また、受信判定情報は、インフォメーションデータの容量を示す容量情報であってもよい。即ち、受信要求により施設１及び人物４（図５参照）の通信端末が有するインフォメーションデータの容量情報を受信した場合において、ＣＰＵ８は、受信した容量情報に基づく容量の総和と予め設定されている受信可能な容量とを照合し、施設１及び人物４の通信端末が有するインフォメーションデータが受信可能であるか否かを判定する。例えば、デジタルカメラ２が受信可能な容量が１ＧＢである場合において、施設１についての容量情報は、施設１の通信端末が有するインフォメーションデータが７００ＭＢであることを示し、人物４についての容量情報は、人物４の通信端末が有するインフォメーションデータが５００ＭＢであることを示していたとする。この場合、容量情報に基づくインフォメーションデータの容量の総和が１ＧＢを超えるため、ＣＰＵ８は、施設１及び人物４の通信端末が有するインフォメーションデータを受信不可能と判定する。
【００４３】
また、上述の実施の形態の受信モードにおいては、スルー画上における通信端末の位置情報に対応する位置にインフォメーションデータを有するか否かを示す画像を重畳表示しているが、通信端末が送信可能状態にあるか否かを示す画像を重畳表示してもよい。即ち、ＣＰＵ８は、ｗｅｂサーバから受信判定情報を受信し、受信判定情報に基づいてインフォメーションデータの受信可否について判定を行う。そして、スルー画上における通信端末の位置情報に対応する位置に送信可能状態にあることを示す画像または送信可能状態にないことを示す画像を重畳表示するようにしてもよい。
【００４４】
また、上述の実施の形態においては、ｗｅｂサーバは、デジタルカメラ２の現在の位置情報を基準として現在の撮影方位の方向に位置する通信端末を検出しているが、検出する通信端末を、さらにデジタルカメラ２の現在の位置情報を基準とする所定の距離内に位置するものに限定してもよい。例えば、スルー画像の撮影方位の方向において、デジタルカメラ２の現在の位置を基準として１０ｍ以内に位置する通信端末のみを検出するようにしてもよい。
【００４５】
また、上述の実施の形態の送信モードにおいては、画像データをメモリカード４４から読み出し、ｗｅｂサーバに送信する場合を例に説明しているが、ｗｅｂサーバに送信するデータの種別は問わない。例えば、作成した電子メールのメールデータをｗｅｂサーバに送信してもよい。
【００４６】
また、上述の実施の形態の送信モードにおいては、受信可能状態にないことを示す画像は図３に示すように斜線を付して示しているが、受信可能状態にないことを操作者が直感できる画像であれば、表示方法は問わない。例えば、受信可能状態にあることを示す画像はクリーム色で表示し、受信可能状態にないことを示す画像は赤く表示してもよい。受信モードにおいても同様に、インフォメーションデータを有さないことを操作者が直感できる画像であれば、表示方法は問わない。
【００４７】
また、上述の実施の形態においては、操作をボタン操作により行っているが、タッチパネル機能により操作を行ってもよい。例えば、タッチセンサをＬＣＤ表示部２６に重畳配置し、ＬＣＤ表示部２６に表示されているアイコンを指で触れることにより操作部２４において行う操作を行えるようにしてもよい。
【００４８】
また、上述の実施の形態においては、電子機器としてデジタルカメラ２を例に説明したが、他の通信端末との通信可否を通知する機能を備えていれば、携帯電話等、他の電子機器においても本発明を適用することができる。
【符号の説明】
【００４９】
２…デジタルカメラ、８…ＣＰＵ、１０…ＧＰＳ、１４…方位センサ、２４…操作部、２６…ＬＣＤ表示部、２７…表示制御部、３２…撮像素子、３４…メモリ、３６…画像処理部、３８…情報記憶部、４０…個人情報記憶部、４４…メモリカード、４６…プログラムメモリ、４８…無線通信部
【図１】
0005549475.tif 000002
【図２】
0005549475.tif 000003
【図３】
0005549475.tif 000004
【図４】
0005549475.tif 000005
【図５】
0005549475.tif 000006